(57)【要約】【課題】グラビア版胴をラインシャフトに連結してセットする際、グラビア版胴のセット時の初期見当ずれを防止すること。【解決手段】多色グラビア印刷装置１０は各々が版胴軸１３を有する複数のグラビア版胴１１と、駆動部２０に連結されたラインシャフト２１と、ラインシャフト２１に連結されるとともにグラビア版胴１１毎に設けられた駆動軸２２とを有している。グラビア版胴１１の版胴軸１３に従動歯車１８が取付けられ、この従動歯車１８は駆動軸２２の駆動歯車２３に係合している。駆動歯車２３と従動歯車１８は、いずれもはすば歯車からなっている。駆動歯車２３を駆動軸２２に沿って移動させることにより、従動歯車１８が回転方向に調整されて見当ずれがなくなる。【選択図】　図１
2004058495.tif 000002
【特許請求の範囲】
【請求項１】
各々が版胴軸を有する複数のグラビア版胴と、
駆動部に連結されたラインシャフトと、
ラインシャフトに連結され、各グラビア版胴毎に設けられた駆動歯車と、
各グラビア版胴の版胴軸の一端に設けられ、対応する駆動歯車に係合する従動歯車とを備え、
駆動歯車と従動歯車は、いずれもはすば歯車からなることを特徴とする多色グラビア印刷装置。
【請求項２】
駆動歯車はラインシャフトに駆動軸を介して連結され、駆動歯車は駆動軸に沿って移動可能となることを特徴とする請求項１記載の多色グラビア印刷装置。
【請求項３】
駆動歯車は駆動軸に沿って、電気モータにより移動することを特徴とする請求項２記載の多色グラビア印刷装置。
【発明の詳細な説明】
【０００１】
【発明の属する技術分野】
本発明は複数のグラビア版胴を有する多色グラビア印刷装置に係り、とりわけグラビア版胴の位相調整を容易に行なうことができる多色グラビア印刷装置に関する。
【０００２】
【従来の技術】
従来より多色グラビア印刷装置として、複数のグラビア版胴と、このグラビア版胴を駆動するラインシャフトと、ラインシャフトの駆動部とを有するものが知られている。
【０００３】
各グラビア版胴には版胴軸が設けられ、ラインシャフト側の駆動歯車と、版胴軸側の従動歯車とが係合している。この場合、駆動部によりラインシャフトを駆動させ、駆動歯車と従動歯車とによりグラビア版胴の版胴軸を駆動させている。
【０００４】
【発明が解決しようとする課題】
このような従来の多色グラビア印刷装置において、各グラビア版胴を装置にセットする場合、グラビア版胴の絵柄に設けられたトンボマークを指示針またはレーザポインタの輝点等の指標に目視により合わせ、グラビア版胴の取付位相を合わせている。さらにグラビア版胴をセットした後、各グラビア版胴間のウエブのパス長がグラビア版胴の周長の整数倍となるよう、各グラビア版胴間に設けられたコンベンセータロールを移動させて初期見当合わせを行なっている。
【０００５】
ところで、ラインシャフトは、各グラビア版胴を同期して回転させるものであり、各々のグラビア版胴に対しラインシャフト側の駆動歯車の位相が同一となっている。このため、あるグラビア版胴をラインシャフトに連結する際にラインシャフト側の駆動歯車と当該グラビア版胴側の従動歯車の位相が一致しない場合、当該グラビア版胴と従動歯車の位相を同時にずらせてグラビア版胴をラインシャフトに連結している。
【０００６】
このようにグラビア版胴と従動歯車の位相をずらしてグラビア版胴をラインシャフトに連結する場合、グラビア版胴と従動歯車を最大で歯車１山分ずらす必要があり、このためグラビア版胴をセットする際大きな初期見当ずれが生じることがある。
【０００７】
本発明はこのような点を考慮してなされたものであり、グラビア版胴をラインシャフトに連結する際に生じるグラビア版胴の初期見当ずれを抑えることができる多色グラビア印刷装置を提供することを目的とする。
【０００８】
【課題を解決するための手段】
本発明は、各々が版胴軸を有する複数のグラビア版胴と、駆動部に連結されたラインシャフトと、ラインシャフトに連結され、各グラビア版胴毎に設けられた駆動歯車と、各グラビア版胴の版胴軸の一端に設けられ、対応する駆動歯車に係合する従動歯車とを備え、駆動歯車と従動歯車は、いずれもはすば歯車からなることを特徴とする多色グラビア印刷装置である。
【０００９】
本発明は、駆動歯車はラインシャフトに駆動軸を介して連結され、駆動歯車は駆動軸に沿って移動可能となることを特徴とする多色グラビア印刷装置である。
【００１０】
本発明は、駆動歯車は駆動軸に沿って、電気モータにより移動することを特徴とする多色グラビア印刷装置である。
【００１１】
【発明の実施の形態】
以下、図面を参照して本発明の実施の形態について説明する。図１乃至図５は本発明による多色グラビア印刷装置の一実施の形態を示す図である。
【００１２】
図１および図２に示すように、多色グラビア印刷装置１０はウエブＷに対して多色印刷を施すものである。この多色グラビア印刷装置１０は各々が版胴軸１３を有する複数、例えば３台のグラビア版胴１１と、グラビア版胴１１を駆動するためのラインシャフト２１と、ラインシャフト２１を駆動する駆動部（駆動モータ）２０とを備えている。
【００１３】
このうち各グラビア版胴１１は両端に版胴軸１３を有しており、版胴軸１３はフレーム１５に軸受１６を介して回転自在に支持されている。
【００１４】
またグラビア版胴１１の版胴軸１３には、その一端に従動歯車１８がキー１７により固定され、この従動歯車１８は後述する駆動歯車２３に係合している。
【００１５】
また、図２に示すように、２番目以降のグラビア版胴１１の上流側には、ウエブＷのグラビア版胴１１間のパス長をグラビア版胴１１の周長の整数倍に調整するコンベンセータロール１２が設けられている。さらに各グラビア版胴１１には見当マーク１１ａが設けられ、この見当マーク１１ａを指標１１ｂに合わせることによりグラビア版胴１１の初期見当合わせを行うようになっている。
【００１６】
次にラインシャフト２１について説明する。図４に示すように、駆動部２０側の傘歯車２５とラインシャフト２１側の傘歯車２６とが係合して、駆動部２０によりラインシャフト２１が駆動される。ラインシャフト２１には、各グラビア版胴１１毎に設けられた駆動軸２２が、ラインシャフト２１側の傘歯車２１ａと駆動軸２２側の傘歯車２２ａを介して連結されている。
【００１７】
さらに各グラビア版胴１１毎に設けられるとともにラインシャフト２１に連結された駆動軸２２には、前述のようにグラビア版胴１１側の従動歯車１８と係合する駆動歯車２３が設けられている。
【００１８】
駆動歯車２３と従動歯車１８は、いずれもはずは歯車からなっており、このうち駆動歯車２３はラインシャフト２１側の駆動軸２２に沿って移動可能となっている。また駆動軸２２上の駆動歯車２３は駆動軸２２上の所定位置において、固定手段２４により堅固に固定されている。
【００１９】
なお、駆動歯車２３は駆動軸２２上に沿って手動で移動させても良く、また電動モータ（図示せず）により移動させても良い。
【００２０】
このように構成されたグラビア版胴１１と、従動歯車１８と、駆動歯車２３と、駆動軸２２と、フレーム１５とにより、各々の印刷ユニット３０が構成され、上記した見当合わせ用の指標１ｂは各印刷ユニット３０のフレームに取付けられている。
【００２１】
次にこのような構成からなる本実施の形態の作用について説明する。
【００２２】
まず駆動部２０によりラインシャフト２１が回転駆動され、ラインシャフト２１の回転が、各々の印刷ユニット３０に設けられた駆動軸２２の駆動歯車２３とグラビア版胴１１側の従動歯車１８を介して、グラビア版胴１１へ伝達される。
【００２３】
このようにしてラインシャフト２１により各々のグラビア版胴１１が同期して回転する。
【００２４】
この間、各グラビア版胴１１をウエブＷが通過し、ウエブ１１に対して多色のグラビア印刷が施される。また各グラビア版胴１１の上流側に設けられたコンベンセータロール１２により、グラビア版胴１１間のウエブＷのパス長がグラビア版胴１１の周長の整数倍となるよう調整される。
【００２５】
次に所望のグラビア版胴１１を交換する場合について説明する。
【００２６】
まず、駆動部２０を停止させることにより、ラインシャフト２１の回転が停止する。ラインシャフト２１が停止することにより、グラビア版胴１１側の駆動軸２２および駆動歯車２３も所定の回転位置に停止する。
【００２７】
次に固定手段２４を緩めて駆動歯車２３の固定を解除し、駆動歯車２３を駆動軸２２に沿って図１の右側へ移動させる。次に古いグラビア版胴１１をフレーム１５から取外して、新しいグラビア版胴１１をフレーム１５にセットする。この場合、新しいグラビア版胴１１の版胴軸１３をフレーム１５の軸受１６内に挿入し、次に版胴軸１３にキー１７を嵌合させながら従動歯車１８を取付けて固定する。
【００２８】
この場合、見当マーク１１ａと指標１１ｂとを合わせることにより、新しいグラビア版胴１１について大よその見当合わせを行なっておく。
【００２９】
次に駆動軸２２上において右側へ移動してあった駆動歯車２３を、従動歯車１８側へ移動させる。この場合、駆動歯車２３と従動歯車１８は、いずれもはすば歯車からなるので、従動歯車１８をわずかに回転させるだけで容易に駆動歯車２３を従動歯車１８と係合させることができる（図３（ａ））。図３（ａ）において、従動歯車１８は山部１８ａと、谷部１８ｂとを有している。また駆動歯車２３は山部２３ａと、谷部２３ｂとを有している。
【００３０】
このとき駆動歯車２３の回転位置はラインシャフト２１の回転位置により決まる基準位置をとっているが、従動歯車１８は駆動歯車２３との間でわずかに長さｌだけ見当ずれが生じている。
【００３１】
その後、駆動歯車２３を駆動軸２２に沿って従動歯車１８側へ更に移動させることにより、従動歯車１８を回転方向に移動させることができ、このことにより従動歯車１８の見当ずれｌをなくすことができる（図３（ｂ））。この場合、見当ずれｌはグラビア版胴１１側の見当マーク１１ａと指標１１ｂとにより確認することができ、実際はこのような見当ずれｌがなくなるまで駆動歯車２３を従動歯車１８側へ移動させる。
【００３２】
このように本実施の形態によれば、グラビア版胴１１をラインシャフト２１に連結する場合において、グラビア版胴のセット時の従動歯車１８の見当ずれｌをなくすことができ、これによりグラビア版胴１１の初期見当ずれを防止することができる。このためグラビア版胴１１の初期見当ずれを修正するために、ウエブＷを多量に試し印刷する必要がなくなる。
【００３３】
すなわち、図５（ａ）（ｂ）に示すように、駆動歯車２９と従動歯車２８がいずれも平歯車の場合、両歯車２８，２９の位相が合わないときに最大で歯車２８，２９の一山分だけ従動歯車２８を回転させる必要が生じる（図５（ｂ））。例えば駆動歯車２９と従動歯車２８の歯数の比が１：１であり、各々の歯数が３１のとき、グラビア版胴１１の周長が９００ｍｍとすると、一山分だけ従動歯車２８を回転させる必要が生じた場合、グラビア版胴１１の見当ずれは２９ｍｍとなる。
【００３４】
これに対して本発明によれば、駆動歯車２３と従動歯車２８がいずれもはすば歯車からなるので、両歯車１８，２３の位相が合わない場合でも、従動歯車１８をわずかに回転させた後に駆動歯車２３と従動歯車１８を係合させ、駆動歯車２３を駆動軸２２に沿って移動させることにより従動歯車１８の見当ずれをなくすことができる（図５（ａ））。
【００３５】
【発明の効果】
以上説明したように本発明によれば、グラビア版胴をラインシャフトに連結してセットする際に、グラビア版胴のセット時の初期見当ずれを防止することができる。
【図面の簡単な説明】
【図１】本発明による多色グラビア印刷装置の一実施の形態を示す拡大図。
【図２】本発明による多色グラビア印刷装置の一実施の形態を示す全体概略図。
【図３】駆動歯車を従動歯車に対して駆動軸に沿って移動する状態を示す図。
【図４】グラビア版胴とラインシャフトの連結関係を示す図。
【図５】駆動歯車と従動歯車がはすば歯車と平歯車からなる場合を示す図。
【符号の説明】
１０　多色グラビア印刷装置
１１　グラビア版胴
１２　コンベンセータロール
１３　版胴軸
１５　フレーム
１８　従動歯車
２０　駆動部
２１　ラインシャフト
２２　駆動軸
２３　駆動歯車
２４　固定手段
３０　印刷ユニット
【図１】
2004058495.tif 000003
【図２】
2004058495.tif 000004
【図３】
2004058495.tif 000005
【図４】
2004058495.tif 000006
【図５】
2004058495.tif 000007